Podtech/llm-jp-corpus-v4-ja_patent huggingface dataset:
(57)【要約】【課題】皮脂を吸収した使用済みのあぶらとり紙は、吸脂面が半透明ないし透明化、あるいは色が濃く変色するため、汚く、不快に感じられる。【解決手段】あぶらとり紙は使用後、吸脂部分が半透明ないし透明化する性質を有しているため、使用面である吸脂面の裏側に金属光沢を持たせる加工を施しておくと、使用後に裏面の金属光沢が吸脂部分から透過されて使用面に現出し、両面ともに金属光沢を有する金属箔のように見え、従来の汚物感を低減させられる。【選択図】図７
2016097672.tif 000002
【特許請求の範囲】
【請求項１】
吸脂後、吸脂部分が半透明ないし透明に変化することで、裏面に付与された金属光沢が吸脂面である使用面にも現出し、両面が金属箔のようになり、汚物であるにも関わらず美観が向上するあぶらとり紙。
【発明の詳細な説明】
【発明の詳細な説明】
【技術分野】
【０００１】本発明は顔の皮脂を吸収する、あぶらとり紙に関するものである。
【背景技術】
【０００２】現在、あぶらとり用シートは紙だけでなく、フィルム、生地などでもつくられており、様々な成分が漉き込まれたものや、エキスや塗料が塗布されたもの、ロゴや絵柄がプリントされたもの、大小の金箔が散りばめられたものなどが販売されている。
【発明が解決しようとする課題】
【０００３】いずれの製品も、皮脂を吸収した後は吸脂部分が半透明ないし透明化、あるいは使用前より濃く変色するため、使用後は不快な汚物とみなされる。また、皮脂吸収量が多く、皮脂吸収速度が速い、いわゆる高性能なあぶらとりシートであるほど、汚物としての忌避感が強まるというジレンマが起きている。
【課題を解決するための手段】
【０００４】元来あぶらとり紙は使用後に吸脂部分が半透明ないし透明化する性質を有している。そこで、使用面である吸脂面の裏側に金属光沢を持たせる加工を施しておくと、吸脂後、裏面の金属光沢が吸脂部分から透過されて使用面に現出するため、裏面だけでなく両面が金属箔のようになり、汚物感を低減させられる。
【発明を実施するための形態】
【０００５】以下、本発明の実施の形態を図面を参照して詳細に説明する。
【実施例】
【０００６】図１は、原紙（１）の裏面に、透明なホットメルト樹脂（２）が塗布された純金蒸着転写箔（３）を熱転写した状態を示している。かかる構成とすることで、吸脂後に金箔の風合を両面に現出させるあぶらとり紙が製造できる。【０００７】図３は、原紙（１）の裏面に透明なホットメルト樹脂（２）を塗布し、アルミ蒸着転写箔（４）を熱転写した状態を示している。かかる構成とすることで、吸脂後に純銀を用いずに銀箔の風合を両面に現出させるあぶらとり紙が製造できる。【０００８】図５は、原紙（１）の裏面に透明なホットメルト樹脂（２）を塗布後、透過性のある黄色塗料（５）が塗布されたアルミ蒸着転写箔（４）を接着剤（８）でドライ転写した後、吸脂面の裏側に透過性のある黄色塗料（５）を塗布した状態を示している。かかる構成とすることで、純金や真鍮を使用することなく、吸脂後に金箔の風合を両面に現出させるあぶらとり紙が製造できる。【０００９】透明なホットメルト樹脂（２）は三井化学株式会社製ケミパールＳを、透過性のある黄色塗料（５）は染料系塗料を用いると、吸脂後の使用面に鮮やかな金属光沢を現出させられるため好適である。不透明なホットメルト樹脂や、顔料系等の隠蔽性の高い塗料は、使用後に吸脂部分から透過されるべき裏面の金属光沢を低減、あるいは損失させ、両面が金属箔と呼べるものにならず、汚物感が明らかに残るため適さない。【００１０】製造にあたり、仕上げにエンボスでのプレス加工を行うと、より紙の透明化を顕著にすることができる。【００１０】吸脂面の裏側への金属光沢の付与方法については、金属蒸着、金属箔、蒸着転写箔を用いると金銀箔の風合を現出させることができるため好適であるが、これらに限定されるものではなく、ホログラム箔、カラーメタリック箔、パール含有塗料、金属粉含有塗料、高輝度メタリックインクを用いることもできる。
【発明の効果】
吸脂後、裏側の金属光沢が使用面にも現出したあぶらとり紙は、両面に金属光沢を有しているため、あたかも本物の金箔あるいは銀箔のようであり、使用後にも関わらず汚物であるという忌避感は薄れ、単純な美観で言えば使用前よりむしろ向上させることができた。
【図面の簡単な説明】
【図１】原紙（１）の裏面に、透明なホットメルト樹脂（２）を塗布された純金蒸着転写箔（３）が熱転写された状態を示した断面図である。
【図２】原紙（１）の裏面に、透明なホットメルト樹脂（２）が塗布された純金蒸着転写箔（３）をエンボス機（６）（７）で熱転写する工程図である。
【図３】原紙（１）の裏面に透明なホットメルト樹脂（２）を塗布し、アルミ蒸着転写箔（４）が熱転写された状態を示した断面図である。
【図４】原紙（１）の裏面に透明なホットメルト樹脂（２）を塗布し、アルミ蒸着転写箔（４）をエンボス機（６）（７）で熱転写する工程図である。
【図５】原紙（１）の裏面に透明なホットメルト樹脂（２）を塗布後、透過性のある黄色塗料（５）を塗布されたアルミ蒸着転写箔（４）を接着剤（８）でドライ転写してから、吸脂面の裏側に透過性のある黄色塗料（５）が塗布された状態を示した断面図である。
【図６】原紙（１）の裏面に、透明なホットメルト樹脂（２）を塗布後、透過性のある黄色塗料（５）を塗布されたアルミ蒸着転写箔（４）を接着剤（８）でドライ転写してから、吸脂面の裏側に透過性のある黄色塗料（５）を塗布し、エンボス機（６）（７）で加圧する工程図である。
【図７】裏面に金属光沢を付与されたあぶらとり紙（１０）の使用面を顔に当て、皮脂を吸収したことで、使用面の吸脂部分に裏面の金属光沢が現出したあぶらとり紙（１１）の使用場面例である。
【符合の説明】
１  原紙
２  透明なホットメルト樹脂
３  純金蒸着転写箔
４  アルミ蒸着転写箔
５  透過性のある黄色塗料
６  輪転式エンボスロール（押）
７  輪転式エンボスロール（受）
８  接着剤
９  転写箔のセパレータフィルム
１０  金属光沢を付与されたあぶらとり紙の裏面
１１  吸脂により裏面の金属光沢が現出したあぶらとり紙の吸脂部分
【図１】
2016097672.tif 000003
【図２】
2016097672.tif 000004
【図３】
2016097672.tif 000005
【図４】
2016097672.tif 000006
【図５】
2016097672.tif 000007
【図６】
2016097672.tif 000008
【図７】
2016097672.tif 000009
(57)【要約】【課題】  二酸化チタンに水ガラスを混錬し、前記混錬物を３００〜７００℃で仮焼し、前記仮焼物を破砕調整し、該破砕物にアパタイトやラジウム吸着させることでは光の到達しない個所での脱臭効果が得られなかった。【解決手段】  二酸化チタンに水ガラスを混錬し、前記混錬物を３００〜７００℃で仮焼し、前記仮焼物を４００ノナミクロン〜２０ミクロンの粒子に調整し、該破砕物に乳酸菌を含浸させた乳酸菌を吸着させた光触媒化合物。【選択図】  なし【特許請求の範囲】
【請求項１】
二酸化チタンに水ガラスを混錬し、前記混錬物を３００〜７００℃で仮焼し、仮焼物を４００ナノミクロン〜２０ミクロインの粒子に粉砕調整し、該粉砕物に乳酸培養した乳酸菌を吸着させた光触媒加工物。
【発明の詳細な説明】
【技術分野】
【０００１】
本発明は屎尿等の臭気を消去する光触媒に乳酸菌を吸着させた消臭、抗菌、防汚材料に関するものである。
【０００２】
しかしながら一般に酸化チタンは光を照射しなければ活性効果を発揮せず、牛小屋、豚小屋での厩舎では十分な効果を発揮していないのが現状である。
【背景技術】
【０００３】
前期したように光が十分に当たらない厩舎の床敷きの下層や配管内部から発生する臭いは防ぐことはできず、本発明者は以前出願した特許では不十分であることが分かった。
【０００４】
さらに光触媒の効果を改善するために光触媒をポーラス状にした特許出願があるが、この特許は布などの基材に光触媒を塗付した発明であって本願のように光触媒を加工しポーラス状の微細な穿孔を設けていないので必要な個所に敷設しなければならない。
【特許文献１】特許公開２００９−２２３６８４号
【特許文献２】特許公開２００２−１７８４４２号
【発明の概要】
【発明が解決しようとする課題】
【０００５】
二酸化チタンに水ガラスを混錬し、前記混錬物を３００〜７００℃で仮焼し、仮焼物を破砕調整し，該破砕物にアパタイトやラジウムを吸着させることでは光の届かない個所の脱臭効果は得られなかった。
【課題を解決するための手段】
【０００６】
二酸化チタンに水ガラスを混錬し、前記混錬物を３００〜７００℃で仮焼し仮焼物を４００ノナミクロン〜２０ミクロンの粒子に破砕調整し、該破砕物に乳酸菌を吸着させたことにより前記課題を解決した。
【発明の効果】
【０００７】
従来の光触媒だけでは脱臭するのに時間を要していたが本発明では光触媒に水ガラスを加えて光触媒をポーラス状に加工してあるため乳酸菌が当該光触媒に含浸し、脱臭効果は迅速に進みかつ持続性を維持する。
【０００８】
さらに光触媒の粒子を微細にしているので触媒を介して乳酸菌を配管内部や厩舎の床面の凹凸部に吸着させることができるので脱臭効果を長らく維持させる
【０００９】
本素材を使うと乳酸菌が消滅した後も光の当たる所では光触媒効果は持続することができる。
【発明を実施するための最良の形態】
【００１０】
以下の実施例で述べる。
【実施例】
【００１１】
二酸化チタンの粉末に５０％希釈した水ガラスを加え混錬し握り拳ぐらいの大きさの団子状に成形する。成形した混合物を３日程度、自然乾燥を行い乾燥した混合物をガス炊きの炉の温度が３００℃程度に上昇したら挿入し雰囲気温度を３００℃から７００℃に加熱する。焼成時間は３時間から５時間かけて焼成してその後、炉冷する。
【００１２】
冷却した混合物をクッラシャーで粗粉砕した。粗粉砕物をさらに微粉にするためポットミルで微粉砕して篩分けし粒度の異なる微粒子を得る。粒度を４００ノナミクロンの微細な粒子にしたのは噴霧効果を向上できる、また２０ミクロン以上の粒子であると噴霧した時に広範囲に粒子が飛散しないからである。
【００１３】
乳酸菌の溶液に微粉砕した粒子を加えて多孔質にした微粉砕物の穿孔に含浸させた。本実施例では乳酸菌は蓬を乳酸発酵させた物を用いた
【００１４】
蓬の乳酸菌は太陽が昇らないうちに蓬を刈り取り黒いビニール袋か光が入らない容器にいれておく。蓬の重量に対して乳酸菌の養分となる３％の濃度の糖蜜と１％濃度の塩を加え光の入らない容器で、雰囲気温度は常温に保ち１週間養生する。
【００１５】
得られた蓬の乳酸菌をろ過してさらに培養するが、培養は前記した蓬の乳酸菌を抽出した方法と同様に糖蜜と塩を加えて培養液を得る
【００１６】
前記した微粉砕した光触媒に蓬の乳酸菌を含浸した物質を得る
【実施例１】
【００１７】
本発明で得た光触媒に乳酸菌を含浸した物質である光触媒を養豚場の床面および糞尿に噴霧した。すると雰囲気に漂う臭いが直ちに消失した。
【実施例２】
【００１８】
光触媒に乳酸菌を含浸した素材を便所の便器に噴霧又は流し込む。アンモニア臭が消え配管表面に付着させて光触媒の乳酸菌が持続的に尿に働き悪臭が解消する。
【産業上の利用可能性】
【００１９】
本素材を下水処理場の配管の消臭効果を高めることができる
【００２０】
住宅地に近い養豚場などの悪臭に困っている個所に本素材を用いると悪臭による公害を低減し環境改善に繋がる。
一般家庭で汚水タンク方式の処理で防臭効果を発揮する。さらに飲食業で発生する残飯の異臭を消滅させる。
さらにマンションなどの長期にわたる空室に本素材を噴霧すると異臭の消去と絨毯、カーペット等や車のシートや床に噴霧すると上記の効果が得れる。
(57)【要約】【課題】梅雨時期や夏場の湿潤な空気を屋内に取り込むことにより、人は不快に感じる。これを解決するために除湿器やエアコンなどの空調機を使うことでエネルギーの無駄遣いが発生する。【解決手段】梅雨時期や夏場の湿潤な空気を屋内に直接取り込まずに、管を用いて取り込み、地中に埋設した管を経由してから屋内に空気を供給する。地中に埋設した管の中で屋外から取り込まれた空気は露点に達して結露をする。空気そのものは除湿される。地中に埋設した管内部で除湿された空気を屋内に供給することで、不快感を軽減する。動力は小さなエネルギー消費で済むため省エネルギーに貢献するものとなる。【選択図】図１
2016097397.tif 000002
【特許請求の範囲】
【請求項１】
管を用いて屋内に取り入れた外気を、地中に埋設した管に送って結露をさせて除湿した空気を屋内に供給することを特許請求の範囲とする。
【発明の詳細な説明】
【技術分野】
【０００１】  この発明は地中熱を利用した除湿装置に関するものである。
【背景技術】
【０００２】  梅雨時期や夏期は屋外の湿度が高くなるが、屋外の湿気の流入により建物の内部（屋内）の湿度も高くなる（図２）。温度の安定している地中熱を利用して、除湿された空気を屋内に取り入れるものである（図１）。
【発明の概要】
【発明が解決しようとする課題】
【０００３】  屋外の空気を屋内に取り入れると湿気も同時に取り入れることになる。梅雨時期から夏場には高い湿度の空気が屋内に入ってくることで不快感を感じる。屋内に入った湿気を取り除くためには、除湿器かエアコンなどの空調機を用いるため、沢山の電気を使用することになりエネルギーの無駄遣いに繋がっている。
【課題を解決するための手段】
【０００４】  以上の課題を解決するため、摂氏１７℃程度で安定した温度の地中に埋設した管を経由して外気を屋内に取り入れる。
【発明の効果】
【０００５】  相対湿度８０％で温度が摂氏２５℃の空気は摂氏２１℃程度に急激に温度が下がると相対湿度が１００％に達して結露が発生し始めます。同様に相対湿度８０％で温度が摂氏３０℃の空気の場合は摂氏２６度程度に温度が急激に下がると結露が発生し始めます（図３）。
摂氏１７℃程度と安定した温度の地中に埋設した管に、梅雨時期や夏場の湿潤で暖かい外気を取り入れると、上記の仕組みで管の内部で結露が発生します。屋外から屋内に空気を取り入れる際に、埋設した管で地中を経由することで除湿された空気が供給されるようになるため、除湿器やエアコンなどの空調機を用いなくても不快感が軽減することになる。屋内に空気を取り入れる動力はエネルギーの使用量が少ない送風機で済むため、不快感を軽減すると同時に省エネルギーに貢献するものとなる。
【図面の簡単な説明】
【０００６】
【図１】この発明の一実施形態を示す建物の断面図である。
【図２】一般的な状態を示す建物の断面図である。
【図３】結露の仕組みを示すグラフである。
【発明を実施するための形態】
【０００７】  この発明の一実施形態を、図１に示す。
７の送風機を動力として４の管から建物に空気（湿潤で暖かい空気）を取り入れる。湿潤な空気が地中に埋設された管（５）に送られる。湿潤な空気は急激に冷やされて露点に達して地中に埋設された管の内部に結露（１１）が発生する。地中に埋設された管は勾配をつけてあり、結露水は結露水を地中に浸透させるマス（６）に向かう。結露水はマスを通して地中に浸透する
除湿された空気（１３）は屋内に空気を供給する管（８）を通って屋内に供給される。。
【０００８】「実施形態の効果」
梅雨時期や夏場では外気が相対湿度８０％、摂氏３０℃など湿潤で暖かい空気になるが、地中の温度は大きな変化がなく概ね１７℃程度であるため、この温度差を利用して積極的に結露をさせた結果として、室内に除湿された空気が供給されることになる。
大きな動力などを用いることなく、埋設した管を経由させて屋内に空気を供給させるだけで、不快感を軽減するとともに省エネルギーの効果が発揮させるものである。
【符号の説明】
【０００９】１  建物        ２  地面      ３  地中        ４  外気を取り入れる管
５  地中に埋設した管          ６  結露水を地中に浸透させるマス
７  送風機      ８  屋内に空気を供給する管
９  湿潤で暖かい空気          １０  地中で急激に冷えていく空気
１１  地中に埋設した管の内部の結露水
１２  マスから地中へ浸透していく結露水
１３  除湿された空気
１４  除湿されて屋内に供給される空気
１５  除湿されずにそのまま屋内に供給される湿潤で暖かい空気
１６  相対湿度８０％、温度２５℃の空気は２１℃に下がると相対湿度が１００％となり      露点に達する（結露が発生する）ことを示す。
１７  相対湿度８０％、温度３０℃の空気は２６℃に下がると相対湿度が１００％となり      露点に達する（結露が発生する）ことを示す。
【図１】
2016097397.tif 000003
【図２】
2016097397.tif 000004
【図３】
2016097397.tif 000005
(57)【要約】【課題】備え付けのトイレットペーパーがない場合、ポケットティッシュを代わりとして使用する場合が多い。ポケットティッシュはトイレ用としては不十分の量であり、水に溶けにくいため水洗トイレの詰まりを引き起こす要因となっていた。本発明は携帯トイレットペーパーを提供する。【解決手段】トイレットペーパーを気密が保たれる袋に圧縮収納した携帯トイレットペーパー。【選択図】図３
2016097287.tif 000002
【特許請求の範囲】
【請求項１】
トイレットペーパーを気密が保たれる袋に圧縮収納した携帯トイレットペーパー。
【発明の詳細な説明】
【技術分野】
【０００１】  本発明は、トイレットペーパーの携帯に関するものである。
【技術背景】
【０００２】  現在、トイレに備え付けのトイレットペーパーがない場合、ポケットティッシュが代りとして使用されている。
【発明の概要】
【発明が解決しようとする課題】
【０００３】（イ）非常災害時の避難所などではトイレットペーパーの補充、調達が不十分な状況が発      生し、トイレットペーパーの代りとして個人が携帯するポケットティシュが使用さ      れるが、ポケットティッシュはトイレ用としては量が不十分である。
（ロ）水に溶けにくい性質のポケットティッシュは、水洗トイレの詰まりを発生させる。
（ハ）トイレットペーパー１ロールを持ち運ぶには嵩張る大きさである。
（ニ）トイレ事情が異なる海外では、トイレットペーパーの備え付けがない。
本発明は、以上の問題点を解決するためになされたものである。
【課題を解決するための手段】
【０００４】トイレットペーパーを気密が保たれる袋に圧縮収納した携帯トイレットペーパー。
【発明の効果】
【０００５】（イ）トイレットペーパーを圧縮しコンパクト化することによって携帯が容易になる。
（ロ）トイレに適した量のトイレットペーパーを携帯できる。
（ハ）トイレットペーパーを使用することで水洗トイレを詰まらせない。トイレの清潔さ      が保たれる。
（ニ）災害時に一時避難場所で直面するトイレットペーパー不足に個人で備えられる。
（ホ）防災用品や旅行用品として予め用意しておくことができる。
（ヘ）企業や団体が災害時用に備蓄し、災害時には帰宅困難者等に配布することができる      。
（ト）トイレ事情が異なる海外において、その不便さを解消する。
【図面の簡単な説明】
【０００６】
【図１】本発明の正面図
【図２】本発明の側面図
【図３】本発明の使用状態図
【発明を実施するための形態】
【０００７】以下、本発明の実施の形態を説明する。
（イ）トイレットペーパー（１）を気密が保たれる袋（２）に圧縮収納する。
（ロ）気密圧縮解除後、トイレットペーパー（１）が全て収まる袋（２）とする。
（ハ）指の力で容易に開孔できる強度の袋（２）にする。
（ニ）携帯に適した数回分の量のトイレットペーパー（１）を収納する。
実施例として、芯を抜いたトイレットペーパー１ロールの量を収納してもよい。
他の実施例としては、トイレットペーパー１ロールの量を収納しなくてもよい。
又は、ロール状のものでなくてもよい。
（ホ）袋（２）内を密封し、トイレットペーパー（１）を圧縮する。
（ヘ）袋（２）に開封口（３）を設ける。
本発明は以上のような構造である。
本発明を使用するときは、袋（２）を開封し、袋（２）の開封口（３）から必要量のトイレットペーパー（１）を取り出し使用する。初めの１回分を使用後、残ったトイレットペーパー（１）は、密封が解除された袋（２）に保管する。以後、使用の度にトイレットペーパー（１）の量が減るため、袋（２）に収まる。トイレットペーパー（１）が不要となった場合、または全てを使用した時点で本発明の用途は終了する。携帯に便利である。
【符号の説明】
【０００９】１  トイレットパーパー、２  袋、３  開封口
【図１】
2016097287.tif 000003
【図２】
2016097287.tif 000004
【図３】
2016097287.tif 000005
(57)【要約】      （修正有）【課題】安定して安全、かつデザインの良い歩行補助車を提供する。【解決手段】前輪と後輪の間に人が入って操作して歩行する車とする。３輪にすると安価になるが安定が悪くなるので、体の条件によって４輪が良い。４輪でも、キャスターで方向を変えるのはジグザグ移動になりがちなので、高価になってもハンドルで前輪を動かす方法が良い。車に入るに際してつまずかないように、前輪と後輪の連結は車体の片側でのみする構造とする。【選択図】図１
2016140742.tif 000002
【特許請求の範囲】
【請求項１】
独立歩行ができるが多少の困難を伴う者の歩行の補助を目的とする、３輪または４輪の車であって、人が前輪と後輪の間に入って車を操作し、徒歩で移動する車。
【請求項２】
人が前輪と後輪の間に入るに当たって車の構成部分を跨がないで済むように、前輪と後輪の連結は車の側面の一方のみでする請求項１の車。
【発明の詳細な説明】
【技術分野】本発明は、歩行に多少の困難を伴う者の外出に際し、歩行を補助する車に関するものである。
【背景技術】歩行補助車として、荷物入れの箱にキャスターをつけた形態のもので、箱はイス代わりにもなる軽く便利なものがある。しかし、軽さは歩行補助の安定性のためには欠点にもなる。デザイン面でも、小さな箱を腰を屈めて押している姿は貧相で、この道具の便利さを知りながら利用を控える人の多い理由であると思われる。
【発明が解決しようをする課題】
少々重くても安全で恰好の良い車が望まれる。
【課題を解決する手段】
歩行を補助する車で前輪と後輪の間に人が入って車を操作して徒歩で移動する形態の車を提供して解決する。
【発明の効果】
▲１▼体の横揺れに抗するだけの車の重量が得られる。▲２▼交通事故の遭遇に対する備えとして体を保護する対策の設定が可能となる。▲３▼雨傘日傘の役割の設備を設けられる。▲５▼歩行コースが安定し、他の通行者にも安心感がある。▲６▼楽しそうなデザインである。
【発明を実施するための最良の形態】▲１▼３輪にすると安価になるが安定が悪くなるので、体の条件によって４輪が良い。▲２▼４輪でも、キャスターで方向を変えるのはジグザグ移動になりがちなので、高価になってもハンドルで前輪を動かす方法が良い。▲３▼車に入るに際してつまずかないように、前輪と後輪の連結は車体の片側でのみする構造とする。
【図面の簡単な説明】
【図１】正面図
【図２】請求項２の平面図
【図１】
2016140742.tif 000003
【図２】
2016140742.tif 000004
(57)【要約】【課題】背筋を真直ぐにする習性を身に付けるための用具で、安全を考慮した丸棒を胸腹間に装着するため、短時間で離着出来る２層のベルトの中を通してベルトの締め具を締めることにより丸棒の位置が動かないようにして用具を繰り返し使用し習性が生じるようにする。【解決手段】丸棒４を胸腹間に装着するだけで背筋が真直ぐに近づくことは事実であり、装着方法は丸棒４が位置する所だけを２層にし、その中を丸棒４を通し胸腹ベルト５を締めた際、２層の上層ベルト７と下層ベルト６が左右に引かれて中を通した丸棒４を動かないような働きが生じる。  丸棒４を装着した場合、丸棒４の下部Ｂが机等に当たり上部Ａが顎、喉の強い接触を柔らげるため上部Ａにバネ等を付けた球体２を備える。【選択図】図１
2016140741.tif 000002
【特許請求の範囲】
【請求項１】
胸腹間に装着する用具であって、
人体の胸腹間に衣服の上から縦に丸棒を２層の丸棒専用のベルトの中を通し、丸棒は上部に伸縮性のある材料で繋がれた球体を付けて、ベルトを締めた際、丸棒が上下に動きづらいようになることを特徴とする背筋を真直ぐに近付ける用具。
【請求項２】
胸腹間に装着する用具であって、
請求項１の２層のベルトは木材等の丸棒を装着する位置に丸棒のみが通れる２層構造にして、ベルトを締めた際、上層下層が左右に引かれて接着する力を利用して丸棒が上下に動きづらいようにしたことを特徴とする背筋を真直ぐに近付ける用具。
【請求項３】
胸腹間に装着する用具であって、
請求項１のバネ又はゴム材等の伸縮性のある材料で繋がれたスチロール等の軟質材球体は丸棒の装着を忘れ椅子に座る際、丸棒の下部が机等に当たり先端の球体が顎、喉にあたっても衝撃を柔らげることを特徴とする背筋を真直ぐに近付ける用具。
【請求項４】
胸腹間に装着する用具であって、
請求項１の球体付き用具を繰り返し使用することにより背筋が真直ぐになる習性が生じ、猫背より発生する諸病の減少に寄与することを特徴とする背筋を真直ぐに近付ける用具。
【発明の詳細な説明】
【技術分野】
【０００１】  本発明は胸腹間に用具を装着して背筋を真直ぐにする習性を身に付けることに関することである。
【背景技術】
【０００２】  年齢を重ねた人ほど猫背が多く、猫背にならないよう努力しても自覚だけでは続かず、自ら背中に物指しを入れる方法は意外に難し不可能に近いことは事実である。【０００３】  背筋を真直ぐにする習性を身に付ける為、背中に用具を装着する方法は新聞、書籍等で散見するが、通常の普段着を着用したまま胸腹間に装着する用具は見当たらない。
【発明の開示】
【発明が解決しようとする課題】
【０００４】  通常の普段着を着用した状態で用具を胸腹間に装着して、背筋を真直ぐにする習性が身に付く方法を目標にしている。【０００５】  誰でも手軽に短時間で用具を離着出来ることを目標にしている。【０００６】  猫背による諸病の発生の減少を目標にしている。
【発明を解決するための手段】
【０００７】  猫背を真直ぐにする習性を身に付けるため、丸棒を胸腹間に当てると誰でも背筋が真直ぐになるのを利用して、丸棒を２層のベルトで装着するが上部で万一の顎、喉の接触を柔げるためバネ等で付けた球体を備えて、ベルトの２層の間を通して、ベルトを締めると２層が左右に引かれて上層下層の接着する力で丸棒が上下に動きづらいようにする。
以上の構成により繰り返し使用することにより背筋を真直ぐにする習性が生まれる。
【発明の効果】
【０００８】  本発明を胸腹間に装着することにより背筋が真直ぐになり、繰り返すことにより背筋を真直ぐにする習性が身に付くことが期待される。
老人達の猫背の増加傾向に歯止めと猫背による諸病の原因の減少が期待される。
【発明を実施するための最良の携帯】
【０００９】  以下、添付の図面に基づいて本発明の実施例を説明する。
【００１０】  実施例（図１、図２）
図１は背筋用具１の丸棒４と胸腹ベルト５との組み合わせを示した図で丸棒４は上部Ａに球体２にバネ３を付けて、胸腹ベルト５の下層ベルト６と上層ベルト７の中を通して下部Ｂが机等に当たった節、球体２による顎、喉との強い接触が発生しても柔らげる働きをする。胸腹ベルト５は下層ベルト６に糸８で縫い付けた上層ベルト７からなり、上層ベルト７は丸棒４が通れる長さにして縫い付け、胸腹ベルト５を締めた際２層が左右に引かれ丸棒４を上下に動かないよう密着する作用が生まれる。
図２は胸腹ベルト５で丸棒４を上下に動かないようにした図で、下層ベルト６に一定の長さの上層ベルト７を糸８で縫い付けた状態を示し２層の密着する作用で丸棒４の上下の動きを防ぐ。
上層ベルト７を伸縮する材又は丸棒４の通る位置の上層ベルト７の幅を広げることにより丸棒４の上下の動きを防ぐ力を増すことが出来る。
背筋用具１を常用することにより背筋を真直ぐにする習性が生まれる。
【図面の簡単な説明】
【００１１】
【図１】背筋用具の必要部品を示した図である。
【図２】胸腹ベルトに丸棒を装着した断面図である。
【符号の説明】
【００１２】１  背筋用具
２  球体
３  バネ
４  丸棒
５  胸腹ベルト
６  下層ベルト
７  上層ベルト
８  糸
Ａ  上部
Ｂ  下部
【図１】
2016140741.tif 000003
【図２】
2016140741.tif 000004
(57)【要約】【課題】従来の方法でローソク立ての掃除をする場合、受皿部と芯の付根に垂れ蝋が固着し、専用の用具などを使用しても手間が掛かり、材質によっては傷を付ける恐れもあったが、本発明は、それら全ての問題を解決するためになされたものである。【解決手段】中空部を有するグリップ部に、先端に切断面がこない様にＵ字に折り曲げた無数の硬質線材を束ねたブラシ部がブラシ固定部により、ブラシ先端が外側に突き出した形状で中空部に固定されたことを特徴とするローソク立て掃除器。【選択図】図１
2016140746.tif 000002
【特許請求の範囲】
【請求項１】
中空部を有するグリップ部に、先端に切断面がこない様にＵ字に折り曲げた無数の硬質線材を束ねたブラシ部がブラシ固定部により、ブラシ先端が外側に突き出した形状で中空部に固定されたことを特徴とするローソク立て掃除器。
【請求項２】
ブラシ部と中空部が重なり合う重合部を有することを特徴とする請求項１記載のローソク立て掃除器。
【発明の詳細な説明】
【技術分野】
【０００１】  本発明はローソク立ての清掃及び掃除に関するものである。
【背景技術】
【０００２】  従来、仏壇などに使用する一般的なローソク立てに付着した焼残り芯や固着した蝋を清掃するためには、主に爪やヘラ又は楊子などで取除いていた。
なお、専用の器具なども考案されている（特許文献１参照）。
【先行技術文献】
【０００３】
【特許文献１】  特開２００６−３３１７９７号公報
【発明の概要】
【発明が解決しようとする課題】
【０００４】  従来の方法でローソク立ての掃除をする場合、受皿部と芯の付根に垂れ蝋が固着し、専用の用具などを使用しても手間が掛かり、材質によっては傷を付ける恐れもあり、又、お年寄りから子供まで、安全かつ容易にローソク立ての清掃をする。
本発明は、それら全ての問題を解決するためになされたものである。
【課題を解決するための手段】
【０００５】  掃除器本体となる外径１５ｍｍ、長さ６０ｍｍのパイプの先端より２５ｍｍの深さまで直径０．２ｍｍ程度の無数の金属線を螺旋状に整列させ、かつ、先端に金属線の切り口がこない様に全ての金属線をＵ字に曲げて筆状にし、又、その逆側は回転の動作が容易な、手の中に納まるグリップを設ける。
以上の構成よりなるローソク立て掃除器。
【発明の効果】
【０００６】  従来の方法としては剥し取るか、あるいは削り取っていたが、本発明はローソク立ての芯を先端の筆状部分に突き刺し、掃除器を回転させることにより、清掃と同時に研磨効果も得られ、お年寄りから子供まで誰が使用しても一定の効果が得られる。
【図面の簡単な説明】
【０００７】
【図１】  本発明の正面図
【図２】  本発明の断面図
【図３】  本発明の使用手順を示す手順図
【発明を実施するための形態】
【０００８】  以下、本発明を実施する形態を説明する。（図２参照）
パイプ状の中空部（３）の先端に、各々が不規則に屈曲した直径０．２ｍｍ程度の無数の金属線などの硬質の線材を、先端に切断面がこない様にＵ字に折り曲げ、螺旋状に整列させて筆状に束ねたブラシ部（１）とし、
前記ブラシ部をブラシ固定部（２）により中空部３に固定する。
ブラシ部と中空部が重なり合う重合部を設ける。
この重合部はローソク立ての先端の長さ以上とする。
この重合部は使用時にブラシが横方向に広がることを防ぐ役割をなす。
中空部（３）のもう片方には、回転及び押し込みの操作が容易な、手の中に納まるグリップを設ける。
又、構造上の応用として、グリップ部に中空部を兼ね備えた構造にし、部品の点数を削減することも可能である。（図４参照）
本発明は以上のような構造である。
本発明を使用するときは（図３参照）掃除器本体のグリップ部を握り、ローソク立ての先端部を筆状の中心部分に回転させながら挿入する（図３−ｂ参照）。掃除器が受け皿部に到達したのを確認し、さらに数回回転させる（図３−ｃ参照）。最後に掃除器を回転させながら抜き取る（図３−ｄ参照）。
【符号の説明】
【０００９】（１）ブラシ部、  （２）ブラシ固定部、  （３）中空部、  （４）グリップ部、
【図１】
2016140746.tif 000003
【図２】
2016140746.tif 000004
【図３】
2016140746.tif 000005
【図４】
2016140746.tif 000006
【手続補正書】
【提出日】平成27年3月28日(2015.3.28)
【手続補正２】
【補正対象書類名】明細書
【補正対象項目名】０００７
【補正方法】変更
【補正の内容】
【０００７】
【図１】  本発明の正面図
【図２】  本発明の断面図
【図３】  本発明の使用手順を示す手順図
【図４】  構造を簡素化した場合の参考図
(57)【要約】【課題】  ゴルフスウィングはフィジカル、メンタルの状態等によって、スウィング時間はおもにちぢみが発生する。従来のテンポ・リズムはトップからダウンスウィングに入る時のみならず、全体の分割そのものが不明確で、おもにテンポに重点がおかれていた。【解決手段】  ゴルフスウイングの時間のちぢみをなくすために、始動に入るところ、その前の予備動作、トップとダウン開始時のテンポ、リズムを的確にあてはめ、再現性を高めることに成功した。【選択図】図１
2016140747.tif 000002
【特許請求の範囲】
【請求項１】
多重均等分割によるドライバーからパターまでのスウィングのテンポとリズム。予備
2016140747.tif 000003
０回（１回１秒）を基準とする。
【発明の詳細な説明】
【技術分野】
【０００１】  本発明は、一般ゴルファー及びプロゴルファーのスウィング全般に共通したゴルフの基本となるテンポ・リズムを記したものである。
【背景技術】
【０００２】  従来のテンポ・リズムはイチ、ニ、サン  又はイチ・アンド・ニー、その他チャーシューメン、三拍子、四拍子にあてはめたものなど、おもにテンポを主体にしたものであった。
【先行技術文献】
日本ゴルフ学会大会〔テンポ・アンド・リズムメジャーゴルフスウィング〕  設楽  正雄（本人）
【発明の概要】
【発明が解決しようとする課題】
【０００３】  従来のものは切り返しの前後のリズムがあいまいで無いに等しかった。【０００４】  本発明はスウィングリズムの最終的完成を目的とする。
【課題を解決するための手段】
【０００５】  切り返し前後のリズムの確定。初動に入るための予備のテンポ、リズムの設定。【０００６】  トップでの脱力ポイント及び腰の回転ポイントの位置。
【発明の効果】
【０００７】  スウイング時間のちぢみを限りなく少なくし、再現性の精度を高くする。【０００８】  この訓練をすることによって、あらゆる身体部分の動きの制御も可能になる。
【図面の簡単な説明】
【０００９】
【図１】  １・２はテンポとして使用する。３・４はリズムとして使用する。
【発明を実施するための形態】
【００１０】  Ｃの部分は材料となる分割のために使用する音符である。
【００１１】  Ｂの部分は予備動作の部分で目にほとんど見えないぐらいこきざみな動きで、そのテンポ、リズムにのって行なわれる。
【００１２】  Ａが始動部分であり、トップ、インパクト、ホローへと続く。
【符号の説明】
【００１３】  ×は落下のための脱力ポイント。
△は腰を入れるポイント。
○以後はインパクトからホロー、フィニッシュ。
【産業上の利用可能性】  メトロノーム的テンポ、リズム発生装置でスウィングを行なう。また、そのテンポ、リズムを使い個人個人に合った音楽を作ることもできる。その他、打撃を要するスポーツにも応用できる。
【図１】
2016140747.tif 000004
(57)【要約】【課題】ジグソーパズルを使った、学習玩具を提供する【解決手段】ジグソーパズルのボードに、正解のピースの形を写し、その中に、外国語単語や日本語や、漢字、文字、絵など、問題と成る物を書き、はめ込む側の、ピースの裏面、または、表面もしくは、表面にシールを張ったその中、あるいは、裏面とシールの中に、問題の正解となる、外国語単語の訳や、外国語単語、あるいは、漢字の読み、文字の読み等を載せたジグソーパズル。【選択図】図１
2016140745.tif 000002
【特許請求の範囲】
【請求項１】
ジグソーパズルのボードに、正解のピースの形を写し、その中に、外国語や、漢字、文字、絵など、問題と成る物を載せ、はめ込む側の、ピースの裏面、または、表面、または、その両方、もしくは、表面にシールを張ったその中、あるいは、裏面とシールの中に、問題の正解となる、単語の訳や、外国語、あるいは、漢字、文字の読み、などを載せたジグソーパズル。
【発明の詳細な説明】
【技術分野】
【０００１】本発明は学習用ジグソーパズルに関する
【背景技術】
【０００２】現在、知育用玩具が様々に開発されて販売されている。また、ジグソーパズルは、今も人気のあるパズルとして、おもちゃ屋などで、売られている。
【先行技術文献】
【０００３】
【特許文献】
【特許文献】特許公開２００３−２３６２６０
【発明の概要】
【発明が解決しようとする課題】
【０００４】ジグソーパズルで、英単語や、外国語単語を覚える為のパズルを考案する。
【発明を解決する手段】
【０００５】ジグソーパズルのピースをはめ込むボードに、正解のピースの形とその中に、問題と成る外国語単語や、絵、文字、漢字、日本語などを書き、ピースの裏または、表か、表にシールを張り、そこに、正解の日本語訳や、問題の日本語に対する外国語単語、読み等を書き、裏にも書く。正解するとジグソーパズルが完成し、シールを張った物は、シールをはがすと、絵が出来上がる、ジグソーパズル。
【発明の効果】
【０００６】ジグソーパズルをしながら、単語が覚えられる。問題が、ジグソーパズルのヒントとなり、完成させやすい。裏面に答えとなる単語を載せ、絵を完成する場合、何度でもやり直せる為、反復練習が出来る。
【発明実施の形態】
【実施例１】
【０００７】学習ジグソーパズルＡ
ジグソーパズルのボードに、正解のピースの形を写し、その一つ一つのピースの中に問題と成る、外国語単語や絵、文字、漢字等を載せる。次にはめ込むピースの裏側に、答えと成る正解の日本語や、訳、読み等を載せ、表にジグソーパズルの絵柄を印刷する。
プレーする時は、ピース裏側の、単語の訳と成る単語と、ボードに書かれた単語が一致する様にして、ジグソーパズルを完成させる。もう一度やりたい時は、完成したパズルを崩して初めから行う。
【実施例２】学習ジグソーパズルＢ
ジグソーパズルのボードに正解のピースの形を写し、その中に、問題と成る外国語単語や、絵や、文字、日本語、漢字等を載せる。表面に絵が印刷されたピースの表面にシールを張り、そこに、正解の、日本語訳や外国語単語、読み等を載せる。また、裏にも載せる。プレーヤーは、その単語とボードの単語を見て、パズルを完成させ、完成したら、ピースのシールをすべてはがす。すると、ボードに１枚の絵が完成されているので、ノリづけして、完成させるか、崩して、もう一度、形と絵を見てあるいは、裏の単語を見て、完成させるか、決めてそうする。
【図面の簡単な説明】
【図１】本発明のジグソーパズル
【符号の説明】（１）    ボード枠
（２）    正解のピース
（３）    シールに書かれた英語
（４）    ボードに書かれた問題と成るピース
（５）    問題と成る日本語
【図１】
2016140745.tif 000003
(57)【要約】【課題】味噌ときお玉で味噌を掬って、味噌をとかすとき、味噌がこぼれ難く、かつ洗い易い味噌ときお玉を提供する。【解決手段】  内側に凹部を有し外周に凸部を有する掬い部と、この掬い部から外方に延在する柄部とから構成される味噌ときお玉であって、この掬い部の凹部の内壁に周方向に回転しながら中心方向に向かうよう形成された誘導部を有することを特徴とする味噌ときお玉であり、掬い部で味噌を掬って、菜箸等で味噌をかき回した際、味噌を中心方向に誘導することができる。【選択図】図１
2016140735.tif 000002
【特許請求の範囲】
【請求項１】
内側に凹部を有し外周に凸部を有する掬い部と、この掬い部から外方に延在する柄部とから構成される味噌ときお玉であって、この掬い部の凹部の内壁に周方向に回転しながら中心方向に向かうよう形成された誘導部を有することを特徴とする味噌ときお玉。
【請求項２】
請求項１の味噌ときお玉において、味噌ときお玉の掬い部は略球形の一部であり、誘導部は外周部から中心に向かって形成された渦巻き状であることを特徴とする味噌ときお玉。
【請求項３】
請求項１、または請求項２の味噌ときお玉の誘導部は、誘導部の中心側は低く、外周側は高くしたことを特徴とする味噌ときお玉。
【発明の詳細な説明】
【技術分野】
【０００１】  この発明は、味噌を味噌容器から掬い、鍋で味噌をとかすための味噌ときお玉に関する。
【背景技術】
【０００２】  従来、味噌汁等を作るときは、味噌の塊をお玉などで掬い、鍋の中でとかしていた。しかしながら、味噌の塊を潰して、味噌をとくのに手間が掛かり苦労していた。
【先行技術文献】
【特許文献】
【０００３】
【特許文献１】特開２００５−２２４５７８
【特許文献２】特開２００２−２２３９６３
【特許文献３】用新案登録第３０２０５５４
【発明の概要】
【発明が解決しようとする課題】
【０００４】  特許文献１の技術は、金網の容器に味噌を掬って味噌を漉しながらとかすものであるが、この技術では味噌の粒子や繊維が網目に詰まってしまい、使用後の洗浄が厄介であった。
特許文献２の技術は、お玉の外側に複数の突起を設けて、鍋の中の味噌の塊を押し潰しながらとかすものであるが、この技術では味噌の塊が幾つかに分解するものの、幾つかの塊が逃げてしまい塊のまま残ってしまう問題があった。【０００５】  特許文献３の技術は、お玉の掬い部の内側に突起を設けて、掬い部の中で味噌をとかすものであるが、この技術では掬い部に味噌を入れて菜箸等で味噌をかき混ぜると、味噌が外周へ押しやられて外周部からはみ出してしまう問題があった。
【課題を解決するための手段】
【０００６】  内側に凹部を有し外周に凸部を有する掬い部と、この掬い部から外方に延在する柄部とから構成される味噌ときお玉であって、この掬い部の凹部の内壁に周方向に回転しながら中心方向に向かうよう形成された誘導部を有することを特徴とする味噌ときお玉である。
【発明の効果】
【０００７】  この発明により、上記の問題点を解決し、味噌をとき易く、洗い易い味噌ときお玉を提供することができる
【図面の簡単な説明】
【０００８】
【図１】第一の実施例の味噌ときお玉の斜視図である。
【図２】第一の実施例の味噌ときお玉の掬い部の外周部近傍の一部を拡大した斜視図である。
【図３】第二の実施例の味噌ときお玉の斜視図である。
【図４】図３の第二の実施例の味噌ときお玉のＡＡ断面図である。
【図５】第三の実施例の味噌ときお玉の斜視図である。
【発明を実施するための形態】
【０００９】  内側に凹部を有し外周に凸部を有する掬い部と、この掬い部から外方に延在する柄部とから構成される味噌ときお玉であって、この掬い部の凹部の内壁に周方向に回転しながら中心方向に向かうよう形成された誘導部を有することを特徴とする味噌ときお玉である。
【００１０】  上記の味噌ときお玉において、味噌ときお玉の掬い部は略球形の一部であり、誘導部は外周部から中心に向かって形成された渦巻き状であることを特徴とする味噌ときお玉である。
上記の味噌ときお玉の誘導部は、誘導部の中心側は低く、外周側は高くしたことを特徴とする味噌ときお玉である。
【実施例】
【００１１】  図１、図２により第一の実施例を説明する。第一の実施例の味噌ときお玉１０は、内側に凹部２５を有し外周に凸部を構成する外周部２６を有する掬い部２０と、掬い部２０から外方に延在する柄部３０とから構成されている。掬い部２０の凹部２５の内壁には、周方向に回転しながら中心方向に向かうよう形成された誘導部２１が形成されている。【００１２】  誘導部２１は、頂部２２と底部２３からなる段差により構成され、外周部２６から凹部２５の内壁に沿って中心に向かう渦巻き状に形成されている。ここで、頂部２２は外側に、底部２３は内側に配置されるよう形成されている。また、頂部２２から隣の底部２３に向かって斜面部２７が形成されている。【００１３】  この実施例の味噌ときお玉１０を使用する際は、味噌ときお玉１０で味噌を掬い、鍋の中のお湯に浸けて、菜箸などで味噌を回転させてといていく。このとき、味噌は掬い部２０の外周部２６方向に押し出されようとするが、図２のように菜箸を右方向（矢印Ｒ）に回転させると誘導部２１に沿って内側に誘導する力が働く。菜箸を左方向（矢印Ｌ）に回転させると味噌は斜面部２７により誘導部２１に乗り上げるので、外方への力は働かない。【００１４】  図３、図４により第二の実施例の味噌ときお玉を説明する。この実施例では、誘導部２１が外周部２６を頂点として、右方向の誘導部２１Ｒと左方向の誘導部２１Ｌとが略対称に形成されている。このため、味噌を右方向（矢印Ｒ）に回転しても、左方向（Ｌ方向）に回転しても誘導部２１に沿って味噌は中心方向に誘導され、味噌は掬い部２０からはみ出し難い。【００１５】  図５は第三の実施例であり、凹部２５の内壁に複数の突起２４が設けられている。これにより、味噌をとき易くしている。
【産業上の利用可能性】
【００１６】  この発明は味噌をとくための道具であるが、他の食物などの材料をといたり混ぜたりする道具にも利用可能である。
【符号の説明】
【００１７】１０は味噌ときお玉
２０は掬い部
２１は誘導部
２２は頂部
２３は底部
２４は突起
２５は凹部
２６は外周部
２７は斜面部
【図１】
2016140735.tif 000003
【図２】
2016140735.tif 000004
【図３】
2016140735.tif 000005
【図４】
2016140735.tif 000006
【図５】
2016140735.tif 000007
(57)【要約】【課題】把持力を測定するため、把持される側を把持力の測定器としていた。把持される実際の工具等の剛性、直径の差異によっての実把持力の測定ができず、又、チャック装置の稼働時の把持力を測定できない不便があった。【解決手段】チャック装置そのものを、把持力測定機能を持たせるため、把持した場合の把持力の反力を受けるチャック装置の外周部に複数のひずみゲージを貼り、ひずみを測定することで、工具を把持した時の実際の把持力を測定でき、また稼働時の把持力も連続測定可能にするものである。【選択図】図３
2016140940.tif 000002
【特許請求の範囲】
【請求項１】
チャック装置に於いて、把持力の反力を受ける外周部構造体の、ひずみが発生する外周部にひずみゲージを貼り、１つ以上のホイートストンブリッジを設け、把持力に伴い発生する反力での外周部のひずみを受感し、電気信号に変換することで把持力を測定することを特徴とした把持力測定機構を備えたチャック装置。
【発明の詳細な説明】
【技術分野】
【０００１】
本発明は、チャック装置の把持力測定装置に係るものである。
【背景技術】
【０００２】
従来からこの種の把持力の測定は、把持力を受ける側の物体を測定機として用い、受けた把持力によって生じる歪みを利用し、歪みゲージ、圧電素子もしくは液圧等を用いて把持力を測定している。                          
【先行技術文献】
【特許文献】
【０００３】
【特許文献１】特開平０７−１７４６５２号公報
【特許文献２】特開２００８−７６１５５号公報
【発明の概要】
【発明が解決しようとする課題】
【０００４】
しかし、これらの方式では、本来刃物が把持されるべきところ、刃物の代わりに把持力測定装置を把持し、チャック装置から受けた把持力測定していた。このため実際に把持される刃物等の剛性が把持力計の剛性と異なっていたり、把持される刃物等の直径がわずかに異なったりする場合、把持力の測定には、誤差が伴う問題があった。つまり、チャック装置そのものでは把持力を測定できないことに起因した問題があった。
【０００５】
従来、把持される側を測定器としているため、チャック装置の把持力を実稼働中に測定することは不可能であり、実稼働中の把持力低下は測定できない状態であった。
【０００６】
従来の把持される側を測定する把持力測定器で、液圧を利用する把持力計の場合、把持力測定装置の液体熱膨張率が大きく、温度変化が把持力の正確な測定を阻害するため、温度変化による邪魔な圧力変化を除外する必要がり、把持力計の液体中に膨張量調整用の低熱膨張率の鉄ニッケル合金を密閉室内の充満している液中に正確な体積比で沈める必要があった。
【課題を解決するための手段】
【０００７】
本発明は、チャック装置そのものを把持力計とする。チャック装置は、工具を把持するための把持力を発生し、その反力は、チャック装置の周囲部で受けられている。外筒周囲部は把持力の反力でたわみ、応力が発生する。
把持力により反力を受ける外周部のひずみは、直接把持力そのものである。
この反力は工具を把持する力と同じものであるから、外周部の一部分に発生する代表的応力をひずみゲージで受感することにより、直接把持力に比例した電気信号を得ることができる。
ひずみゲージを貼りつける例として、外周部の外周に、主応力線方向と主応力線方向に直角にひずみゲージを貼り、ホイートストンブリッジを作ることにより、外周部の応力を電気信号として取り出すことができ、把持力の反力すなわち把持力を知ることができる。
【０００８】
チャック装置そのものを測定器としているで、チャック装置に含まれる液体熱膨張に起因する把持力変化は把持力そのものであり、温度が上がれば液体は膨張し、それに伴い把持力が大きくなり、その変化の値を測定できる。
【０００９】
チャック装置の液圧を測定して把持力とする場合にも、本発明の外周部の応力の測定値を液圧の測定値の用として利用することができる。
【００１０】
把持力の測定をチャック装置そのもので可能なため、工具を把持した状態の実把持力を監視することも可能である。
【図面の簡単な説明】
【００１１】
【図１】ゲージ抵抗変化を電圧信号に変換するホイートストンブリッジ。
【図２】従来の把持力測定装置測定様子を示す説明図
【図３】実施例の内部構造説明図
【発明を実施するための形態】
【００１２】
以下、添付の図面3を参照して、本発明の一実施例の把持力測定装置の付いたチャック装置ついて説明する。
チャック装置は、少なくとも、シャンク部分１とチャック部分があり、チャック部分には、拡張可能な内筒5、液圧室4  把持力の反力を受けるチャック外筒2がある。
【００１３】
チャック装置に工具8を把持させ、液圧を液加圧ピストン3  を回し、押し下げることにより液圧室4の液圧を大きくすることにより、その液圧は内筒5を内側へ拡張し、工具8を把持する。この把持力の反力は、チャック外筒2を膨らませる方向に撓ませる。
【００１４】
チャック外筒2の外周部には複数のひずみゲージを取り付けられ、ホイートストンブリッジを形成してある。今、チャック外筒2を膨らませる方向に撓むことにより、外筒表面の円周方向に、反力に比例した引張応力が発生する。この引張応力で、取り付けられた複数のひずみゲージの抵抗値が変化し、ホイートストンブリッジから、把持力の大きさに比例した電気信号を得ることができる。信号は４−２０ｍＡ方式で行い、本体と電気的に絶縁されたカバを各電極端子とすることが可能である。
【産業上の利用可能性】
【００１５】
本発明は、工作機械のチャック装置に於いて、実把持力を測定することが可能であり、ワイヤレス化により、実把持力を切削稼働中も連続して測定することに利用できる。
【符号の説明】
【００１６】
1 シャンク部    
2  チャック外筒/電極    
3   液加圧ピストン    
4  液圧室    
5  内筒    
6  ひずみゲージ    
7  カバ/電極  
8  4-20mAアンプ
9  工具  
2a  チャック外筒    
3a  把持力計    
G1,G2,G3,G4  ホイートストンブリッジをなすひずみゲージ
【図１】
2016140940.tif 000003
【図２】
2016140940.tif 000004
【図３】
2016140940.tif 000005